(57)【要約】【課題】  キー操作の複雑さや判別の煩わしさを生じず、コストダウンを図りやすいにもかかわらず、選択された指令コードを見た目によって容易に判別することが可能な多コードリモートコントローラを提供することを目的とする。【解決手段】  指令コード選択操作を行うためのスイッチ手段７０が、押下げ操作によってそれぞれの指令コードを個別に選択する複数のスイッチ７１，７２，７３と、これらのスイッチ７１，７２，７３のいずれか１個だけを押下げ操作するための作用キー７５とを有する。複数のスイッチ７１，７２，７３を主部１０に横並びに配置し、作用キー７５を補助部３０にスライド可能に設ける。【選択図】        図１
2010273296.tif 000002
【特許請求の範囲】
【請求項１】
主部とこの主部にヒンジを介して開閉可能に連結された補助部とを有して、互いに異なる種類の複数の指令コードがスイッチ手段の操作によって選択される多コードリモートコントローラにおいて、
指令コード選択操作を行うためのスイッチ手段が、押下げ操作によってそれぞれの指令コードを個別に選択する複数のスイッチと、これらのスイッチのいずれか１個だけを押下げ操作するための作用キーとを有し、
上記スイッチ手段の複数の上記スイッチ及び上記作用キーのうちのいずれか一方が上記主部に設けられ、他方が上記補助部に設けられていて、上記補助部を閉じて上記主部に重ね合わせたときに、複数の上記スイッチのいずれか１つが上記作用キーによって押下げ操作されるように構成されていると共に、その作用キーが複数の上記スイッチに個別に対応する複数箇所にスライド可能に構成されていることを特徴とする多コードリモートコントローラ。
【請求項２】
上記スイッチ手段の複数のスイッチが上記主部に横並びに設けられているのに対し、上記スイッチ手段の作用キーが上記補助部に横方向スライド可能に設けられている請求項１に記載した多コードリモートコントローラ。
【請求項３】
上記作用キーが、上記補助部の外面側又は内面側のうちの少なくとも一方側から手動でスライド操作可能な操作部を有している請求項２に記載した多コードリモートコントローラ。
【請求項４】
上記補助部に設けられた空間部に上記作用キーが収容されていて、その作用キーに設けられている上記操作部が、上記補助部に設けられた長孔状のスライド孔部を介して当該補助部の外面側又は内面側のうちの少なくとも一方側に臨んでいる請求項３に記載した多コードリモートコントローラ。
【請求項５】
上記補助部の外面側又は内面側のうちの少なくとも一方側の面に、上記スイッチ手段の複数のスイッチに個別に対応する上記作用キーの位置を指し示す表示が施されている請求項３又は請求項４に記載した多コードリモートコントローラ。
【発明の詳細な説明】
【技術分野】
【０００１】
本発明は、多コードリモートコントローラ、さらに詳しくは、異なる種類の複数の指令コードのうちの１つをスイッチ手段の操作によって選択することが可能であって、しかも、主部とこの主部に開閉可能に連結された補助部とを有する多コードリモートコントローラに関する。
【背景技術】
【０００２】
図７に従来例としての多コードリモートコントローラを概略平面図で示してある。この多コードリモートコントローラは、主部１とこの主部１にヒンジ２を介して開閉可能に連結された補助部３とを有している。主部１には選択決定キー６が設けられている。主部１や補助部３には、キートップ列４，５が設けられているほか、補助部３の開閉状態を検出する検出スイッチ７が設けられている。図例では、検出スイッチ７が、主部１に設けられたスイッチ７ａと、補助部３を閉じたときに上記スイッチ７ａを押し下げる操作ノブ７ｂとによって構成されている。
【０００３】
また、この多コードリモートコントローラでは、互いに異なる種類の複数の指令コードを選択することができるようになっている。そして、そのための具体策としては、上記キートップ列４，５に属するキーや選択決定キー６を使用してコード切換えを行う方式、あるいは、キートップ列４，５に属するキーの複数押しによってコード切換えを行う方式などが採用される。
【０００４】
異なる種類の複数の指令モード（指令コードに相当する）のうちの１つをスイッチ手段の操作によって選択することのできる多コードリモートコントローラは、従来より種々提案されている（たとえば、特許文献１、特許文献２参照）。そして、特許文献１では、相手側機器のＤＶＤを動作させる「ＤＶＤ」表示のあるキーや、相手側機器のＶＣＲを動作させる「「ＶＣＲ」表示のあるキーを個別に有して、それらのキーの１つを選択して押下することによって、指令モードがＤＶＤやＶＣＲを動作させるモード（コードに相応する）に切り換わるように構成されているものが提案されている。さらに、特許文献２では、複数の各操作モード（操作コードに相応する）によって異なる機能を割り当てた複数のボタンを有するリモートコントローラが提案されている。
【０００５】
さらに、従来より、主部に補助部が開閉可能に連結されている折畳み型のリモートコントローラについての提案もなされている（たとえば、特許文献３、特許文献４参照）。そして、特許文献３には、主部としての本体に設けた運転モード（運転コードに相応する）の選択スイッチをスライド操作可能とし、補助部としての蓋を閉じて本体に重ね合わせたときにも、その選択スイッチが蓋によって覆い隠されないようにすることが提案されている。さらに、特許文献４には、主部としてのケースに補助部としての蓋体を開閉可能に装着し、蓋を閉じた際に、蓋体に設けた弾性部材がケース側の検知スイッチを押圧するように構成したものが提案されている。
【先行技術文献】
【特許文献】
【０００６】
【特許文献１】特開２００７−１８９５９９号公報
【特許文献２】特開２００５−１７５８８７号公報
【特許文献３】特開平７−９１７２１号公報
【特許文献４】特開２００７−５３５１７号公報
【発明の概要】
【発明が解決しようとする課題】
【０００７】
しかしながら、図７を参照して説明した多コードリモートコントローラのように、異なる種類の複数の指令コードの１つを選択する操作として、キートップ列４，５に属するキーや選択決定キー６を使用してコード切換えを行う方式、あるいは、キートップ列４，５に属するキーの複数押しによってコード切換えを行う方式などを採用したものでは、キー操作が複雑であるだけでなく、キーを押さない限りコードが切り換わっているか否かを容易に判別することができないという煩わしさがあった。
【０００８】
また、特許文献３に示されているようなスライド操作可能な選択スイッチを有するものは、選択スイッチ自体にスライドスイッチが用いられているために、選択された運転モードを見た目によって容易に判別することが可能であるという利点を有する反面で、スライドスイッチにコストがかかって価格が高くつくという問題がある。
【０００９】
本発明は以上の状況や問題に鑑みてなされたものであり、上記各方式を採用したときのようなキー操作の複雑さや判別の煩わしさを生じず、コストダウンを図りやすいにもかかわらず、選択された指令コードを見た目によって容易に判別することが可能であって、使い勝手に優れた多コードリモートコントローラを提供することを目的とする。
【課題を解決するための手段】
【００１０】
本発明に係る多コードリモートコントローラは、主部とこの主部にヒンジを介して開閉可能に連結された補助部とを有して、互いに異なる種類の複数の指令モードがスイッチ手段の操作によって選択されるようになっている。そして、指令モード選択操作を行うためのスイッチ手段が、押下げ操作によってそれぞれの指令モードを個別に選択する複数のスイッチと、これらのスイッチのいずれか１個だけを押下げ操作するための作用キーとを有している。また、上記スイッチ手段の複数の上記スイッチ及び上記作用キーのうちのいずれか一方が上記主部に設けられ、他方が上記補助部に設けられていて、上記補助部を閉じて上記主部に重ね合わせたときに、複数の上記スイッチのいずれか１つが上記作用キーによって押下げ操作されるように構成されていると共に、その作用キーが複数の上記スイッチに個別に対応する複数箇所にスライド可能に構成されている。
【００１１】
この構成であると、作用キーをスライドさせてスイッチ手段の複数のスイッチのいずれか１つに対応する箇所に位置させておくと、補助部を閉じて主部に重ね合わせたときに、作用キーが１つのスイッチを押し下げるので、押し下げられたスイッチに対応する１つの指令コードが選択される。また、選択されている指令コードは、作用キーが、スイッチ手段のどのスイッチに対応しているかを見ることによって容易に判別することが可能である。
【００１２】
本発明では、上記スイッチ手段の複数のスイッチが上記主部に横並びに設けられているのに対し、上記スイッチ手段の作用キーが上記補助部に横方向スライド可能に設けられている、という構成を採用することが可能である。この構成であると、スイッチ手段のどのスイッチがどの指令コードに対応しているかを判別しやすく、しかも、作用キーをスライドさせて所望のスイッチに対応させる操作を行いやすい。
【００１３】
本発明では、上記作用キーが、上記補助部の外面側又は内面側のうちの少なくとも一方側から手動でスライド操作可能な操作部を有していることが望ましい。この構成であると、作用キーを手動で操作することができるために使い勝手が向上する。また、作用キーが補助部の外面側からでも内面側からでも手動操作可能であると、補助部が開いているときに、作用キーを外面側からでも内面側からでも手動操作することが可能になるという利便性がある。この作用は、上記補助部に設けられた空間部に上記作用キーが収容されていて、その作用キーに設けられている上記操作部が、上記補助部に設けられた長孔状のスライド孔部を介して当該補助部の外面側又は内面側のうちの少なくとも一方側に臨んでいるという構成によっても発揮される。
【００１４】
本発明では、上記補助部の外面側又は内面側のうちの少なくとも一方側の面に、上記スイッチ手段の複数のスイッチに個別に対応する上記作用キーの位置を指し示す表示が施されていることが望ましい。この構成であると、作用キーが、どの指令コードに対応するスイッチを押下げ操作する箇所に位置しているか、あるいは、どの指令コードに対応するスイッチを押し下げているかを、見た目で即座に判別することが可能になる。
【発明の効果】
【００１５】
以上のように、本発明によれば、選択された指令コードを見た目によって容易に判別することが可能であって、使い勝手に優れた多コードリモートコントローラを提供することが可能になる。また、キー操作の複雑さや判別の煩わしさを生じず、コストダウンを図りやすいという効果も奏される。
【図面の簡単な説明】
【００１６】
【図１】本発明の実施形態に係る多コードリモートコントローラにおいて、補助部を開いた状態での概略平面図である。
【図２】同補助部を閉じた状態での概略平面図である。
【図３】スイッチ手段の複数のスイッチを例示した断面図である。
【図４】スイッチ手段の作用キーを例示した断面図である。
【図５】スイッチ手段の動作状態を示した断面図である。
【図６】作用キー設置箇所の一部破断平面図である。
【図７】従来例としての多コードリモートコントローラの概略平面図である。
【発明を実施するための形態】
【００１７】
図１は本発明の実施形態に係る多コードリモートコントローラにおいて、補助部を開いた状態での概略平面図、図２は同補助部を閉じた状態での概略平面図である。また、図３はスイッチ手段の複数のスイッチを例示した断面図、図４はスイッチ手段の作用キーを例示した断面図、図５はスイッチ手段の動作状態を示した断面図、図６は作用キー設置箇所の一部破断平面図である。
【００１８】
図１又は図２のように、実施形態の多コードリモートコントローラは、主部１０とこの主部１０にヒンジ２０を介して開閉可能に連結された補助部３０とを有している。主部１０の内面側には選択決定キー６０が設けられている。また、主部１０や補助部３０の内面側には、キートップ列４０，５０が設けられている。さらに、主部１０や補助部３０には、指令コード選択操作を行わせるためのスイッチ手段７０が設けられている。スイッチ手段７０は、主部１０の内面側に配備されている複数（図例では３個）のスイッチ７１，７２，７３でなるスイッチ群７４と、補助部３０に設けられている作用キー７５とによって構成されている。
【００１９】
上記したキートップ列４０，５０に含まれる個々のキーや選択決定キー６０は、主部１０や補助部３０に内蔵されている配線基板８１，８２に実装されている多数のスイッチ電極（不図示）に個別に対応していて、いずれかのキーが押し込まれたり選択決定キー６０が操作されたりすることによって、それらに対応する上記スイッチ電極が短絡（オン）して所定の出力信号を発信するようになっている。
【００２０】
また、上記スイッチ手段７０の複数のスイッチ７１，７２，７３には、たとえば図３に例示したようなラバースイッチが採用されていて、これらのスイッチ７１，７２，７３のいずれか、たとえばスイッチ７２が押し下げられると、押し下げられたスイッチ７２により、そのスイッチ７２に対応して配線基板８１に実装されているスイッチ電極が短絡（オン）して一定の指令コードが選択されるようになっている。他のスイッチ７１，７３が押し下げられたときには、同様に他の種類の指令コードが選択されるようになっている。
【００２１】
配線基板８１には、スイッチ７１，７２，７３に個別に対応するスイッチ電極のオンオフを制御する制御素子（不図示）が搭載されている。この制御素子は、たとえば、スイッチ７２が押し下げられた後に初期位置（図３に示した位置）に復帰してスイッチ電極から離れても、他のスイッチ７１（又は７３）が押し下げられるまでは、スイッチ７２が押し下げられることによって選択された指令コードの選択状態をそのまま維持させるような制御を行う。他のスイッチ７１（又は７３）が押し下げられた後に初期位置に復帰してスイッチ電極から離れたときも同様の制御を行う。
【００２２】
図１、図３又は図５のように、スイッチ手段７０の複数のスイッチ７１，７２，７３は、ヒンジ２０の近傍箇所で上記主部１０の内面側に等間隔おきの横並び状態で配備されている。これに対し、作用キー７５は、ヒンジ２０の近傍箇所で、上記補助部３０に、複数のスイッチ７１，７２，７３に個別に対応する複数箇所に対して横方向スライド可能に設置されている。また、図４又は図５に示したように、作用キー７５は、補助部３０に確保されている空間部３１に収容されていると共に、補助部３０の内壁及び外壁に開設されている長孔状のスライド孔部３２，３３を介して当該補助部３０の外面側と内面側とに突き出ている。そして、それらの突出し部分が手動操作可能な操作部７６，７７として形成されていると共に、補助部３０の内面側の突出し部分によって形成されている操作部７６が、上記したスイッチ７１，７２，７３の押圧部として機能するようになっている。
【００２３】
さらに、図１又は図６に示したように、補助部の外面側及び内面側の両方の面に、スイッチ手段７０の複数のスイッチ７１，７２，７３に個別に対応する作用キー７５の位置を指し示す表示７６が施されている。図例では、スイッチ手段７０によって３つの指令コードを選択することができるようになっていて、それらの３つの指令コードの表示を「Ｃ１」「Ｃ２」「Ｃ３」として示してある。
【００２４】
次に作用を説明する。
【００２５】
図１のように補助部３０を主部１０に対して開いているときには、スイッチ手段７０の作用キー７５を、図４に示した補助部３０の内面３５側から操作することも、同図に示した補助部３０の外面３６側から操作することも可能である。このときの作用キー７５の操作は、作用キー７５の操作部７６，７７のいずれかを手の指又は爪に引掛けてその作用キー７５をスライドさせることにより、「Ｃ１」「Ｃ２」「Ｃ３」の表示のいずれかに合わせる操作である。
【００２６】
この操作によって作用キー７５の位置が、たとえば図１のように指令コード「Ｃ２」に合わされたとすると、図２のように補助部３０を閉じて主部１０に重ね合わせるだけで、図５のように作用キー７５がスイッチ７２を押し下げる。こうしてスイッチ７２が押し下げられると、押し下げられたスイッチ７２により、そのスイッチ７２に対応して配線基板８１に実装されているスイッチ電極が短絡（オン）して一定の指令コードが選択される。そして、このときには、図２のように、作用キー７５の位置が指令コード「Ｃ２」に合っているので、ユーザは、その状態を目で見るだけで、指令コード「Ｃ２」が選択されているということを即座に判別することができる。
【００２７】
補助部３０を開いているときに、作用キー７５の位置が、他の指令コード「Ｃ１」又は「Ｃ３」に合わされたときも同様に、補助部３０を閉じて主部１０に重ね合わせるだけで、作用キー７５がスイッチ７１又は７３を押し下げて、押し下げられたスイッチ７２に対応する配線基板８１のスイッチ電極が短絡（オン）して他の種類の指令コードが選択される。この場合でも、作用キー７５の位置が指令コード「Ｃ１」又は「Ｃ３」に合っているので、ユーザは、その状態を目で見るだけで、指令コード「Ｃ１」又は「Ｃ３」が選択されているということを即座に判別することができる。
【００２８】
上記したように、主部１０側の配線基板８１には、スイッチ７１，７２，７３に個別に対応するスイッチ電極のオンオフを制御する制御素子が搭載されていて、この制御素子は、たとえば、スイッチ７２が、図５のように押し下げられた後に図３に示した初期位置に復帰してスイッチ電極から離れても、他のスイッチ７１（又は７３）が押し下げられるまでは、スイッチ７２が押し下げられることによって選択された指令コードの選択状態をそのまま維持させるような制御を行う。そのため、図２のように補助部３０が閉じられて、図５のように作用キー７５がスイッチ７２を押し下げて指令コード「Ｃ２」が選択された後で、作用キー７５がスライドされることなく補助部３０の開閉が繰り返されたとしても、上記制御素子が指令コード「Ｃ２」の選択状態をそのまま維持する。したがって、この実施形態の多コードリモートコントローラは、作用キー７５がどの指令コードに位置合わせされているだけを見るだけで、そのときに選択されている指令コードを即座に判別することができる。
【００２９】
この実施形態では、スイッチ手段の複数のスイッチを主部側に設け、作用キーを補助部側に設けた事例を説明したけれども、この点は、スイッチ手段の複数のスイッチを補助部側に設け、作用キーを主部側に設けることも可能である。また、選択することのできる指令コードの数は３種類に限定されることはなく、２種類であっても、３種類より多い数であってもよい。
【００３０】
この実施形態において、作用キー７５は横方向にスライドされて複数のスイッチ７１，７２，７３に対応する位置に合わされる構成になっている。その場合、複数のスイッチ７１，７２，７３に対応する作用キー７５の位置を、一定のクリック感によって知ることができれば、ユーザにとっての使い勝手がさらに向上する。そこで、この実施形態では、図６のように、スライド孔部３２（又は３３）の長手方向の３箇所に膨らみ部３２ａ，３２ｂ，３２ｃを形成しているのに対し、作用キー７５に弾性変形部７５ａを設けてある。そして、作用キー７５がスライド孔部３２内で弾性変形部７５ａの内向きの撓み変形を伴ってスライドし、作用キー７５が膨らみ部３２ａ，３２ｂ，３２ｃのいずれかに到達したときには、弾性変形部７５ａが初期位置に弾性復帰してクリック感が得られるように構成してある。
【符号の説明】
【００３１】
１０  主部
２０  ヒンジ
３０  補助部
３１  空間部
３２，３３  スライド孔部
７０  スイッチ手段
７１，７２，７３  スイッチ
７５  作用キー
７６，７７  操作部
Ｃ１，Ｃ２，Ｃ３  指令コードの表示
Ｍ    表示
【図１】
2010273296.tif 000003
【図２】
2010273296.tif 000004
【図３】
2010273296.tif 000005
【図４】
2010273296.tif 000006
【図５】
2010273296.tif 000007
【図６】
2010273296.tif 000008
【図７】
2010273296.tif 000009